(57)【要約】【課題】  本考案は手鏡を使用する際、手鏡を至近距離から覗きながら、手鏡を装着した手の５本の指が自由に使えるようにすることで、手鏡を持った状態で両手を自由に使えることを可能にする。【解決手段】  本考案は、手鏡本体３にマジックテープ（登録商標）又はマジックテープ（登録商標）を装着したベルト等ベルト１を装着し、１を手首に巻いて止めることで、手鏡本体３を手首に装着及び固定できるようにする。従って、手鏡を手首に固定した状態で、両手の指全てが自由に使えるようにし、上述の問題を解決し、生活利便の向上に役に立つ。【選択図】  図１
0003113743.tif 000002
【実用新案登録請求の範囲】
【請求項１】
手鏡本体３にマジックテープ（登録商標）又はマジックテープ（登録商標）を装着したベルト等ベルト１を装着し、１を手首に巻いて止めることで、手鏡本体３を手首に装着及び固定できるようにした手鏡付きブレスレット。
【請求項２】
手鏡本体１を、四角形や円形等適宜形状にに形作り、プラスチックや金属等適宜素材で作った請求項１の両手が使える手鏡付きブレスレット。
【請求項３】
ベルト１を、鋼等適宜素材でつくったバネ式のリストバンド材８でつくった、請求項１、請求項２の手鏡付きブレスレット。
【請求項４】
ベルト１を、折りたたみ式の針金等適宜素材１１でつくった、請求項１、請求項２の手鏡付きブレスレット。
【考案の詳細な説明】
【技術分野】
【０００１】  本考案は、手首に手鏡をマジックテープ（登録商標）又はマジックテープ（登録商標）を装着したベルト等ベルト１で装着し、その手首を動かすことで、鏡の位置を自由に移動させ、鏡を見ながら、両手の１０本の指を自由に使えることを可能にする手鏡である。
【背景技術】
【０００２】  手鏡を持って、アイメイクやリップラインを引く等の化粧や、コンタクトレンズを直す際、従来の手鏡の場合は、手鏡を手で持つ為、手鏡以外のものを手鏡を持つ指を使って持つことは難しく、手鏡を持っていない手の指だけで、様々な作業を行わざるを得ず、不便だった。また、目の至近距離に手鏡を引き寄せながら、両手の指を使って化粧をすることができず、不便だった。
【考案の開示】
【考案が解決しようとする課題】
【０００３】  手鏡を使用して、化粧したり、コンタクトレンズを直したりする際、色々な道具を使う必要がある。特に、アイメイクをしたり、視力の弱い人がコンタクトレンズを直す場合に、手鏡を目の至近距離に引き寄せて、手鏡を覗きながら両手の指が自由に使える手鏡が必要だった。従って、手鏡に、手首に装着する為のマジックテープ（登録商標）又はマジックテープ（登録商標）を装着したベルト１を装着することにより、指が自由に使える状態で、手首に手鏡を装着及び固定させることができ、前述の欠点を解決するものである。
【課題を解決するための手段】
【０００４】  本考案は、手鏡本体３にマジックテープ（登録商標）又はマジックテープ（登録商標）を装着したベルト等ベルト１を装着し、１を手首に巻いて止めることで、手鏡本体３を手首に装着及び固定する。従って、手鏡を手に装着した状態で、５本の指を自由に使うことを可能にし、手鏡を手に装着しているので、手を動かすだけで、装着している手鏡の位置を、目の至近距離等、自由な位置に移動することを可能にし、従来手鏡を持つと片手しか自由にならなかった欠点を解決している。
【考案の効果】
【０００５】  上述の様に、本考案の手鏡付きブレスレットは、手鏡を手首に装着できるマジックテープ（登録商標）又はマジックテープ（登録商標）を装着したベルト１を装着することで、手鏡を持った状態で両手の全ての指を自由に使用できることを可能にする。又、手鏡を装着した手を動かすことで、目の至近距離等、自由に手鏡の位置を移動することを可能にした。従って、目の至近距離にまで手鏡を近づけて、手鏡を覗きながら、両手の全ての指で様々な動作を行えることを可能にした。目のメイクや、口紅のメイクや、視力の弱い人がコンタクトレンズの具合の確認や調節をたやすく行え、生活利便に役立つことができる。
【考案を実施するための最良の形態】
【０００６】  手鏡本体３にマジックテープ（登録商標）又はマジックテープ（登録商標）を装着したベルト等ベルト１を装着し、１を手首に巻いて止めることで、手鏡本体３を手首に装着できるようにする。尚、ベルト１は、バネ式のリストバンド材８や折りたたみ式の針金等適宜素材１１等適宜な形状のベルトで代用することが可能である。
【実施例】
【０００７】  以下、本考案を限定することを目的としない、本考案の実施例を図面に従って説明する。実施例１  本実施例は、１が、マジックテープ（登録商標）の場合である。まず、手鏡本体３にマジックテープ（登録商標）を装着したベルト１を装着し、１を手首に巻いて止めることで、手鏡本体３を手首に装着できるようにする。【０００８】  マジックテープ（登録商標）１は、手鏡本体３の背面で、ボタン形状の板材等適宜素材５によって固定する。【０００９】  手鏡本体３の鏡面には、蝶番７で固定した蓋６を装着して収納できるようにする。ただし、蓋６は必ずしも必要ではなく、蓋６の代わりに、不繊布等で作成したカバーに入れて収納することも可能である。【００１０】  実施例２  本実施例は、１が、バネ式のリストバンド材８の場合である。実施例１の本手鏡付きブレスレットの１を、図３のように鋼等適宜素材でつくったバネ式のバンドにし、外側に布等を巻いて保護する。【００１１】  実施例３  本実施例は、１が、折りたたみ式の針金等適宜素材１１の場合である。実施例１の本手鏡付きブレスレットの１を、図４のように針金等適宜素材でつくり、折りたためるようにバネ式の蝶番１３で固定する。【００１２】  本考案の一実施例は上述の如き構成からなるものであるから、手鏡を手首に装着して使用する為、手鏡を装着した手の５本の指が自由に使え、手鏡を手に持って覗きながら、両手の指１０本が自由に使える手鏡を可能にした。
【図面の簡単な説明】
【００１３】
【図１】手鏡付きブレスレットの実施例１の使用例の斜視図
【図２】手鏡付きブレスレットの実施例１の斜視図
【図３】手鏡付きブレスレットの実施例２の斜視図
【図４】手鏡付きブレスレットの実施例３の斜視図
【符号の説明】
【００１４】  １  マジックテープ（登録商標）又はマジックテープ（登録商標）を装着したベルト等ベルト
３  手鏡本体
５  １を固定するボタン形状の板材等適宜素材
６  蓋
７  蝶番
８  バネ式のリストバンド材
１１  折りたたみ式の針金等適宜素材でつくったバンド材
１３  バネ式の蝶番
【図１】
0003113743.tif 000003
【図２】
0003113743.tif 000004
【図３】
0003113743.tif 000005
【図４】
0003113743.tif 000006
【手続補正書】
【提出日】平成17年2月9日(2005.2.9)
【手続補正１】
【補正対象書類名】明細書
【補正対象項目名】０００２
【補正方法】変更
【補正の内容】
【０００２】  手鏡を持って、アイメイクやリップラインを引く等の化粧や、コンタクトレンズを直す際、従来の手鏡の場合は、手鏡を手で持つ為手鏡以外のものを持つことは難しく、手鏡を持っていない手の指だけで、様々な作業を行わざるを得ず、不便だった。また、目の至近距離に手鏡を引き寄せながら、両手の指を使って化粧をすることができず、不便だった。
【手続補正２】
【補正対象書類名】明細書
【補正対象項目名】０００３
【補正方法】変更
【補正の内容】
【０００３】  手鏡を使用して、化粧したり、コンタクトレンズを直したりする際、色々な道具を使う必要がある。特に、アイメイクをしたり、視力の弱い人がコンタクトレンズを直す場合に、手鏡を目の至近距離に引き寄せて、手鏡を覗きながら両手の指が自由に使える手鏡が必要だった。従って、手鏡に、手首に装着する為のマジックテープ（登録商標）又はマジックテープ（登録商標）を装着したベルト等ベルト１を装着することにより、指が自由に使える状態で、手首に手鏡を装着及び固定させることができ、前述の欠点を解決するものである。
【手続補正３】
【補正対象書類名】明細書
【補正対象項目名】０００５
【補正方法】変更
【補正の内容】
【０００５】  上述の様に、本考案の手鏡付きブレスレットは、手鏡を手首に装着できるマジックテープ（登録商標）又はマジックテープ（登録商標）を装着したベルト等ベルト１を装着することで、手鏡を持った状態で両手の全ての指を自由に使用できることを可能にする。又、手鏡を装着した手を動かすことで、目の至近距離等、自由に手鏡の位置を移動することを可能にした。従って、目の至近距離にまで手鏡を近づけて、手鏡を覗きながら、両手の全ての指で様々な動作を行えることを可能にした。目のメイクや、口紅のメイクや、視力の弱い人がコンタクトレンズの具合の確認や調節をたやすく行え、生活利便に役立つことができる。
【手続補正４】
【補正対象書類名】明細書
【補正対象項目名】０００７
【補正方法】変更
【補正の内容】
【０００７】  以下、本考案を限定することを目的としない、本考案の実施例を図面に従って説明する。実施例１  本実施例は、１が、マジックテープ（登録商標）の場合である。まず、手鏡本体３にマジックテープ（登録商標）を装着したベルト等ベルト１を装着し、１を手首に巻いて止めることで、手鏡本体３を手首に装着できるようにする。